【手続補正書】
【提出日】平成24年11月1日(2012.11.1)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】０００８
【補正方法】変更
【補正の内容】
【０００８】
上記目的を達成するために、本発明にかかるひとつの画像処理装置は、３種類以上の露光量で被写体を撮像して得られた３種類以上の画像を用いた画像合成を行う画像処理装置であって、第１の画像の輝度と第２の画像の輝度とに基づき前記画像合成における前記第１の画像の重みを算出する重み計算部と、前記重み計算部において算出された重みを用いて前記画像合成を行う画像合成部と、前記画像合成の結果の画像から得られる統計情報により前記３種類以上の露光量を調整するための情報を生成する画像解析部と、を含み前記第１の画像の露光量は前記３種類以上の露光量において最小となる露光量以外及び最大となる露光量以外の露光量であり、前記第２の画像の露光量は前記第１の画像の露光量よりも大きく、且つ、前記３種類以上の露光量の中で前記第１の画像の露光量の次に大きい露光量であることを特徴とする。
上記のひとつの画像処理装置において、前記３種類以上の露光量で撮像された画像において、最小の露光量で撮像された画像を第３の画像とし、前記第３の画像の次に大きい露光量で撮像された画像を第４の画像としたときに、前記重み計算部において、前記第３の画像の重みが前記第４の画像の輝度を基に算出され、最大の露光量で撮像された画像を第５の画像とし、前記第５の画像の次に小さい露光量で撮像された画像を第６の画像としたときに、前記重み計算部において、前記第５の画像の重みが前記第６の画像の輝度を基に算出されることが好ましい。
上記のひとつの画像処理装置において、前記統計情報は、複数の前記画像合成の結果から求めた平均輝度であることが好ましい。
上記目的を達成するために、本発明にかかるひとつの画像処理方法は、３種類以上の露光量で被写体を撮像して得られた３種類以上の画像を用いた画像合成を行う画像処理方法であって、第１の画像の輝度と第２の画像の輝度とに基づき前記画像合成における前記第１の画像の重みを算出する重み計算のステップと、前記重み計算部において算出された重みを用いて前記画像合成を行う画像合成のステップと、前記画像合成の結果の画像から得られる統計情報により前記３種類以上の露光量を調整するための情報を生成する画像解析のステップと、を含み前記第１の画像の露光量は前記３種類以上の露光量において最小となる露光量以外並びに最大となる露光量以外の露光量であり、前記第２の画像の露光量は前記第１の画像の露光量よりも大きく、且つ、前記３種類以上の露光量の中で前記第１の画像の露光量の次に大きい露光量であることを特徴とする。
上記のひとつの画像処理方法において、前記３種類以上の露光量で撮像された画像において、最小の露光量で撮像された画像を第３の画像とし、前記第３の画像の次に大きい露光量で撮像された画像を第４の画像としたときに、前記重み計算のステップにおいて、前記第３の画像の重みが前記第４の画像の輝度を基に算出され、最大の露光量で撮像された画像を第５の画像とし、前記第５の画像の次に小さい露光量で撮像された画像を第６の画像としたときに、前記重み計算のステップにおいて、前記第５の画像の重みが前記第６の画像の輝度を基に算出されることが好ましい。
上記のひとつの画像処理方法において、前記統計情報は、複数の前記画像合成の結果から求めた平均輝度であることが好ましい。
〔形態１〕  上記目的を達成するために、形態１の画像処理装置は、
３種類以上の露光量で被写体を撮像して得られた３種類以上の画像のうち、第１の画像の輝度と、該第１の画像の次に露光量の大きい第２の画像の輝度とに基づき、該第１の画像に対して画像合成時に用いる重みを算出する重み算出手段と、
前記重み算出手段で算出した重みを用いて、前記３種類以上の画像の重み付け加算を行い、画像を合成する画像合成手段と、を備える。
【手続補正３】
【補正対象書類名】特許請求の範囲
【補正対象項目名】全文
【補正方法】変更
【補正の内容】
【特許請求の範囲】
【請求項１】
３種類以上の露光量で被写体を撮像して得られた３種類以上の画像を用いた画像合成を行う画像処理装置であって、
第１の画像の輝度と第２の画像の輝度とに基づき前記画像合成における前記第１の画像の重みを算出する重み計算部と、
前記重み計算部において算出された重みを用いて前記画像合成を行う画像合成部と、
前記画像合成の結果の画像から得られる統計情報により前記３種類以上の露光量を調整するための情報を生成する画像解析部と、を含み
前記第１の画像の露光量は前記３種類以上の露光量において最小となる露光量以外及び最大となる露光量以外の露光量であり、
前記第２の画像の露光量は前記第１の画像の露光量よりも大きく、且つ、前記３種類以上の露光量の中で前記第１の画像の露光量の次に大きい露光量であることを特徴とする画像処理装置。
【請求項２】
前記３種類以上の露光量で撮像された画像において、
最小の露光量で撮像された画像を第３の画像とし、前記第３の画像の次に大きい露光量で撮像された画像を第４の画像としたときに、
前記重み計算部において、前記第３の画像の重みが前記第４の画像の輝度を基に算出され、
最大の露光量で撮像された画像を第５の画像とし、前記第５の画像の次に小さい露光量で撮像された画像を第６の画像としたときに、
前記重み計算部において、前記第５の画像の重みが前記第６の画像の輝度を基に算出されることを特徴とする請求項１に記載の画像処理装置。
【請求項３】
前記統計情報は、複数の前記画像合成の結果から求めた平均輝度であることを特徴とする請求項１又は２に記載の画像処理装置。
【請求項４】
３種類以上の露光量で被写体を撮像して得られた３種類以上の画像を用いた画像合成を行う画像処理方法であって、
第１の画像の輝度と第２の画像の輝度とに基づき前記画像合成における前記第１の画像の重みを算出する重み計算のステップと、
前記重み計算部において算出された重みを用いて前記画像合成を行う画像合成のステップと、
前記画像合成の結果の画像から得られる統計情報により前記３種類以上の露光量を調整するための情報を生成する画像解析のステップと、を含み
前記第１の画像の露光量は前記３種類以上の露光量において最小となる露光量以外並びに最大となる露光量以外の露光量であり、
前記第２の画像の露光量は前記第１の画像の露光量よりも大きく、且つ、前記３種類以上の露光量の中で前記第１の画像の露光量の次に大きい露光量であることを特徴とする画像処理方法。
【請求項５】
前記３種類以上の露光量で撮像された画像において、
最小の露光量で撮像された画像を第３の画像とし、前記第３の画像の次に大きい露光量で撮像された画像を第４の画像としたときに、
前記重み計算のステップにおいて、前記第３の画像の重みが前記第４の画像の輝度を基に算出され、
最大の露光量で撮像された画像を第５の画像とし、前記第５の画像の次に小さい露光量で撮像された画像を第６の画像としたときに、
前記重み計算のステップにおいて、前記第５の画像の重みが前記第６の画像の輝度を基に算出されることを特徴とする請求項４に記載の画像処理方法。
【請求項６】
前記統計情報は、複数の前記画像合成の結果から求めた平均輝度であることを特徴とする請求項４又は５に記載の画像処理方法。